(57)【要約】  本発明は分散エネルギー供給源（DER）、特に風車ユニットに設置し、および／または分散エネルギー供給源（DER）、特に風車ユニットのサイトで分散使用する分散制御・データ記録ユニット２（SCADAユニット）であって、分散エネルギー供給源（DER）、特に風車を制御する制御ユニット、特に風車制御ユニット１１と、運転データおよび／または運転パラメータを記憶するデータバンク１０と、データおよび／または制御命令を外部ネットワーク７を介して外部ユニット１，１４，１５，２９と交換するネットワーク通信インタフェース１３とが含まれるSCADAユニットに関する。このユニットを改善するために、異なったシステム、変わり易い顧客要望および変わり易いハードウエアに柔軟に適応して利害関係者の事業プロセスに十分に組み入れられるようにし、さらにSCADAユニットには、風車制御ユニット１１、データバンク１０および通信ユニット１３を制御および／または管理するSCADA運転システムカーネル９を備える。【選択図】図２
2010518296.tif 000002
【特許請求の範囲】
【請求項１】
分散エネルギー供給源（DER）、特に風車ユニットに設置し、および／または分散エネルギー供給源（DER）、特に風車ユニットのサイトで分散使用する分散制御・データ記録ユニット（２）（SCADAユニット）であって、分散エネルギー供給源（DER）を制御する制御ユニット、特に風車制御ユニット（１１）と、運転データおよび／または運転パラメータを記憶するデータバンク（１０）と、データおよび／または制御命令を外部ネットワーク（７）を介して外部ユニット（１，１４，１５，２９）と交換するネットワーク通信インタフェース（１３）とが含まれ、
SCADAユニットは、制御ユニット（１１）、データバンク（１０）および通信ユニット（１３）を制御および／または管理するSCADA運転システムカーネル（９）を備えることを特徴とする。    
【請求項２】
運転システムカーネル（９）はネットワーク通信インタフェース（１３）を介して公共アクセス可能なデータ領域（１６）を備えることを特徴とする請求項１に記載のSCADAユニット（２）。
【請求項３】
運転システムカーネル（９）は、ネットワーク通信インタフェース（１３）を介しては公共アクセス可能でない保護データ領域（１７）を備えることを特徴とする請求項１または２に記載のSCADAユニット（２）。
【請求項４】
データバンク（１０）は保護データ領域（１７）に実装されることを特徴とする請求項１ないし３のいずれか１項に記載のSCADAユニット（２）。
【請求項５】
データバンク（１０）は長時間記憶するように、特に長時間トレンドデータを利用するように形成されることを特徴とする請求項１ないし４のいずれか１項に記載のSCADAユニット（２）。
【請求項６】
運転システムカーネル（９）と分散エネルギー供給源（DER）との間で通信を行うローカルの通信ユニット（２１）が保護データ領域（１７）に実装されることを特徴とする請求項１ないし５のいずれか１項に記載のSCADAユニット（２）。
【請求項７】
公共アクセス可能なデータ領域（１６）は１つ以上のソフトウエアベースのユニット（１９，２０，２３，２５）で実行するように形成されることを特徴とする請求項１ないし６のいずれか１項に記載のSCADAユニット（２）。
【請求項８】
ソフトウエアベースのユニット（２０）には分散エネルギー供給源（DER）のリアルタイムデータの送信が含まれることを特徴とする請求項１ないし７のいずれか１項に記載のSCADAユニット（２）。
【請求項９】
ソフトウエアベースのユニット（２０）には、分散エネルギー供給源（DER）に関連するデータ利用、特に生産データ、出力データ、時間列、エラートラッキングの送信が含まれることを特徴とする請求項１ないし８のいずれか１項に記載のSCADAユニット（２）。
【請求項１０】
運転システムカーネル（９）にはソフトウエアベースのユニット（１９，２０，２３，２５）を見つけ出すリストおよび／またはメカニズム（service repository）（１８）を備えることを特徴とする請求項１ないし９のいずれか１項に記載のSCADAユニット（２）。
【請求項１１】
SCADAユニット（２）は、特に視覚的な、マンマシンインタフェース（HMI）（１２）を備えることを特徴とする請求項１ないし１０のいずれか１項に記載のSCADAユニット（２）。
【請求項１２】
ネットワーク通信インタフェース（１３）はTCP／IP通信プロトコルを使用して外部ネットワークと通信するよう形成されることを特徴とする請求項１ないし１１のいずれか１項に記載のSCADAユニット（２）。
【請求項１３】
ソフトウエアベースのユニット（１９，２０，２３，２５）はSOAP通信プロトコルを介して呼び出しできることを特徴とする請求項１ないし１２のいずれか１項に記載のSCADAユニット（２）。
【請求項１４】
リストおよび／またはメカニズム（service repository）（１８）はプロトコルWSDL,UDDI,WSInspectionの少なくとも１つを介して通信するよう形成されることを特徴とする請求項１ないし１３のいずれか１項に記載のSCADAユニット（２）。
【発明の詳細な説明】
【技術分野】
【０００１】
本発明は、分散エネルギー供給源（DER）、特に風車ユニットに設置し、および／または分散エネルギー供給源（DER）、特に風車ユニットのサイトで分散使用する分散制御・データ記録ユニット（SCADAユニット）であって、分散エネルギー供給源（DER）を制御する制御ユニット、特に風車制御ユニットと、運転データおよび／または運転パラメータを記憶するデータバンクと、データおよび／または制御命令を外部ネットワークを介して外部ユニットと交換するネットワーク通信インタフェースとが含まれるSCADAユニットに関する。
【背景技術】
【０００２】
このようなSCADAユニットは異なった分散エネルギー供給源（DER）に関連して広く使用されている。この種のSCADAユニットが使用されたDERには、例えば太陽光施設、バイオマス発電所または風力エネルギー施設がある。
【０００３】
分散エネルギー供給源、特に風車施設は、エネルギー供給システムの中でもますます重要で経済的なエネルギー源になっている。このような理由から分散エネルギー供給源は世界中で建設されている。分散エネルギー供給源の運転においては、DERの顧客とDERの利益所有者との間で基本的に区別しなければならない。ここでは利益所有者としてエンジニアリング会社、製造会社および保全会社が挙げられる。
【０００４】
この当事者の間でDERの運転に関し技術データのデータ交換の意味における通信が望ましい。この目的のために、この種の制御・データ記録ユニットが役に立つ。このユニットはアングロサクソン語では頭字語SCADAで知られており、ここでSCADAはsupervisory control and data acquisition （監視制御およびデータ取得）の略である。当事者にとって風車の運転データを呼び出すことは、このデータを独特の方法で再処理するために、それぞれ関心がある。例えば、電力提供者にとっては、風力エネルギー施設から供給された実際の電力を呼び出すことは清算のなどのために重要になる。エンジニヤリング会社にとっては、例えば運転期間、運転履歴または現在の運転パラメータなどの保全に重要なデータに関心がある。同様に、制御命令を伝達することによって外部からDERの制御に影響を及ぼすことが望ましい。当事者が通常は分散エネルギー供給源サイトにいない状況のため、遠隔データ問合せ、あるいは双方向データ交換の手段が必要となる。この遠隔データ交換を確実にするために、ネットワーク通信インタフェースを備えたこの種のSCADAユニットが設けられる。
【０００５】
この種のSCADAユニットは風力エネルギー施設に関連する、例えば特許文献１のＵＳ７０１３２０３Ｂ２で知られている。この特許公報によると、ウインドパークにおいて、いずれの個々の風車も１つのローカルの風車制御装置、１つのデータバンクおよび１つの風車制御・データ記録ユニット（いわゆるTCS）で構成される。いずれの風車もTCSを介してウインドパークネットワークに接続される。この場合、ウインドパークネットワークで個々の風車が１つのいわゆるSCADAマスターユニットに接続される。ウインドパークネットワークはローカルネットワークである。外部ネットワークとの接続は、もっぱらネットワークインタフェースを介してSCADAマスターの側で可能である。したがって、公知の風車ベースのSCADAユニットと前述の集団との間の通信はもっぱらSCADAマスターを介して可能となる。したがって公知のSCADAユニットに関連して実行されるデータ通信モデルはマスタースレーブ構成に対応する。このことは、SCADAマスターが停止した際には、それに接続されたすべてのスレーブ、つまりそれに接続されたすべての風車ベースのSCADAユニットに、もはや接続できないという欠点がある。さらなる欠点としては、SCADAマスターは通常、風力エネルギー施設の調達コストにかなりの比率を占める高コストのシステムであるということである。最後に、異なった風車ユニットが並列運転される異種のウインドパークの場合、オペレータが利用しなければならないSCADAデータバンクには異なった複数のSCADAデータバンクが必要になるという欠点がある。オペレータおよび保全会社のデータバンクの統合がこれによって困難になる。さらに風力エネルギー施設の利害関係者は、この公知の実施形態であるSCADAユニットの場合、SCADA提供者のデータバンクに拘束される。したがって、風力エネルギー施設の利害関係者の側で柔軟な方法でデータ構造の変更に適応することはほとんど不可能であるという欠点がある。
【０００６】
冒頭に述べた種類の公知の別の分散SCADAユニットの場合、SCADAユニットはメモリープログラマブル制御装置（SPS）としてプログラマブルロジック（PLC）の形に形成される。このPLCによって、異なった利害関係者の側のマンマシンインタフェースとDER、特に風力エネルギー施設との間の直接の通信が可能になる。前述したマスタースレーブモデルに基づくアーキテクチュアのPLCベースのSCADAユニットが考慮される限り、中央のマスターはここでは中間に介在しない。しかし、PLCベースの直接通信の欠点は、PCLが製造業者特有のプロトコルおよび同様に製造業者特有の適切な器具を介してのみ可能であるということである。したがって、この種のSCADAユニットのPLCベースの変形を使用することによって、DER利害関係者とSCADAユニットとの間に非常に狭い製造業者特有の接続が生じる。このことから、顧客の要望、DER利害関係者の側のシステム変更などへの柔軟な適応が不可能となることがわかる。利害関係者がこの方法で要求に応じるのは非常に難しく、かつ時間のかかるという欠点がある。
【０００７】
現在一般的に、特にウインドパークの場合には、代表的な施設製造業者に関するDERの異種性の増加が見られる。さらに、この種のSCADAユニットの機能性に対する要求が利害関係者によってかなり異なる。利害関係者の事業モデルは短時間で変更されるので、その結果、このような変更にSCADAユニットを迅速かつ柔軟に適応させる要求が存在することになる。同時に、DERデータのデータ加工およびデータ管理に対する利害関係者の要求が増加する。さらに、利害関係者の事業経過にDERデータを組み込む必要性も増加する。
【先行技術文献】
【特許文献】
【０００８】
【特許文献１】ＵＳ７０１３２０３Ｂ２
【発明の概要】
【発明が解決しようとする課題】
【０００９】
したがって本発明の課題は、この種のSCADAユニットにおいて、異なったシステム、変わり易い顧客要望および変わり易いハードウエアに柔軟に適応する手段を備え、利害関係者の事業プロセスに改善された組み入れが可能となるよう改善することにある。さらに、この種のSCADAユニットでデータ交換をする際にエラーの可能性を減少させ、かつDER施設の投資費用を減少させることにある。
【課題を解決するための手段】
【００１０】
発明によると、この種のSCADAユニットにおける課題は、制御ユニット、データバンクおよび通信ユニットを制御および／または管理するSCADA運転システムカーネルをSCADAユニットに含めることで解決される。これによって、分離したSCADAマスターの必要性がなくなる。これによってSCADAプロトコルもSCADAデータバンクも必要でなくなることが利点となる。もっと正確にいうと、分散してSCADAユニットに設けた運転システムカーネルを使用して、DERの利害関係者とSCADAユニットとの間で直接の通信が可能となる。この際、DERの利害関係者はSCADA提供者のデータバンクには拘束されない。利害関係者のデータインフラストラクチュアの直接支援は、例えば標準化されたデータユニットによって可能となる利点がある。DERサイドに設けられた運転システムカーネルによって、DERの利害関係者の事業モデルの短時間変更に一致させるために、SCADA構成部分を柔軟に構成して相互接続することが可能となる。発明によるSCADAユニットを使用して、モデルを作成し、保全計画を作成するなどのために、利害関係者はその場所で、DERに関する置き換えられた必要なデータについてSCADAユニットによって直接問い合わせることができる。発明によるSCADAユニットは、例えば太陽光発電所、バイオマス発電所または風力エネルギー施設のようなDERに適している。複数のDERの相互接続であるいわゆる実際の発電所も発明によるDERで運転される。例えば、実際の発電所は、風力エネルギー施設、太陽光エネルギー施設およびバイオマス発電所の実際の相互接続にすることができる。
【００１１】
ネットワーク通信ステーションを介して公共アクセス可能なデータ領域が運転システムカーネルに備わると、発明によるSCADAユニットはさらに改善される。DERに関する様々なデータを呼び出すために、利害関係者は外部ネットワークを介してこの公共のデータ領域と通信することができる。DERが例えば風力エネルギー施設である場合、風車に関するデータはほぼ呼び出せる。
【００１２】
発明によるSCADAユニットに存在する直接のデータ通信の手段に基づいて、一定のデータおよび／または制御装置に濫用してアクセスされることを避けるために、運転システムカーネルは、ネットワーク通信インタフェースを介しては公共アクセス可能でない保護データ領域を備える。
【００１３】
発明の有利な実施形態によると、データバンクは保護データ領域に実装される。データバンクに、例えばDERの運転および制御のためのパラメータがローカルにファイルされる場合、この処置によって、外部ネットワークを介した不当なアクセスが確実に排除されるという利点が生じる。
【００１４】
発明によるSCADAユニットの自動運転を確実にするために、発明の有利な実施形態でによると、データバンクは長時間記憶するように、特に長時間トレンドデータを利用するよう形成される。これと異なって、公知のいくつかのSCADAユニットでは、小さいデータパケットの短時間記憶に適するデータバンクを設けているだけである。このようなデータバンクは発明のものと相違して、常に追加の外部データバンクと組み合わせるしか作動させる方法がない。その結果、発明のものと異なり自動運転は不可能である。
【００１５】
発明のさらに有利な実施形態によると、運転システムカーネルとDERとの間で通信を行うローカルの通信ユニットが保護データ領域に実装される。DERは、例えばその運転に関する情報を与えるいくつかの測定トランスデューサを備える。保護データ領域内にこのデータを記録することにより、データの的確な開放または個々のデータの保持も可能となる。同様に、ローカルの通信ユニットは運転システムカーネルからDERの対応するアクチュエータに制御パラメータを手渡すのに役立つ。この場合においても、この機能が外部ネットワークを介した不当なアクセスから保護され有利となる。
【００１６】
発明の好ましい別の実施形態によると、公共アクセス可能なデータ領域は１つ以上のソフトウエアベースのユニットで実行するように形成される。発明によるSCADAユニットはこの方法でいわゆる「Service oriented architectureサービス・オリエンテッド・アーキテクチュア」による利点をもって運転され、この際、ソフトウエアベースのユニットは外部から利用可能あるいは呼び出し可能となる。
【００１７】
風力エネルギー施設の異なった利害関係者にとって、ソフトウエアベースのユニットにDERのリアルタイムデータの送信が含まれると、特に有用となる。発明によるSCADAユニットを使用し、この方法で、SCADAマスターを中間に介在させず直接にリアルタイムでDERのデータにアクセスすることが可能になる。
【００１８】
これに代わり、または追加して、発明によりソフトウエアベースのユニットにはDERに関連するデータ利用、特に生産データ、出力データ、時間列、エラートラッキングの送信が含まれる。
【００１９】
発明のさらに有利な実施形態によると、運転システムカーネルで提供されたソフトウエアベースのユニットが外部ユーザから見つけられるように、またその存在が管理できるように、運転システムカーネルにはソフトウエアベースのユニットを見つけ出すリストおよび／またはメカニズム（service repository）を備える。このように、ユニットがユーザからも見つけられることが保障される。ユニットを自動的に登録またはログオフできる動的なサービス・オリエンテッド・アーキテクチュアでは、このようなリストは非常に役に立つ。発明によるSCADAユニットの有利な別の実施形態によると、この実施形態は、特に視覚的なマンマシンインタフェース（HMI）を備える。例えば、重要な運転データの表示が利用でき、風車サイトの保全者がSCADAマスターなどを仲介することなく、このサイトで運転データを直接読み取ることが可能となる。また発明によると、DERサイトの保全者が運転パラメータを変更できるように、または表示されるべき特定のデータを要求できるように、インタフェースにはキーボードなどを備える。
【００２０】
発明によるSCADAユニットを、インタネットを介したデータ通信用の実施形態にするために、発明の特定の実施形態では、ネットワーク通信インタフェースはTCP／IP通信プロトコルを使用した外部ネットワークと通信するように形成される。
【００２１】
発明の特に有利な別の実施形態によると、ソフトウエアベースのユニットはSOAP通信プロトコルを介して呼び出すことができる。SOAPプロトコルは、このためにさらに拡張され、その結果、発明によるSCADAユニットの可能な限り普遍的な適用が確実になる。
【００２２】
同様に、発明によるSCADAユニットを使用して通信を標準化する利益において、さらに有利な実施形態では、リストおよび／またはメカニズム（service repository）はプロトコルWSDL、UDDI、WS-Inspectionの少なくとも１つを介して通信するように形成される。ここで、WSDLはWeb Service Description Languageを表し、UDDIはUniversal Description, Discovery and Integrationを表し、WSはWeb Service Inspectionを表す。
【００２３】
頭字語SOAPはSimple Object Access Protocolを表す。
【００２４】
発明は図面に関連して好ましい実施形態で記載されるが、さらに有利な詳細は図面で推測できる。
【００２５】
機能の同一の部分には同一の符号を付している。
【図面の簡単な説明】
【００２６】
【図１】技術の現状の２つの変形による例えば風車の通信アーキテクチャの概略図を示す。
【図２】発明によるSCADAユニットを使用する場合の通信アーキテクチャの概略図を示す。
【図３】発明によるSCADAユニットの運転システムカーネルの内部アーキテクチャの概略図を示す。
【図４】ソフトウエアによる外部ユニットを呼び出すための発明によるSCADAユニットを使用した通信進行を図解するフローチャートを示す。
【図５】分析データを呼び出すための発明によるSCADAユニットを使用した通信を図解するフローチャートを示す。
【図６】発明によるSCADAユニットを使用した別の特別の通信アーキテクチャの概略図を示す。
【発明を実施するための形態】
【００２７】
図１には、発明の利点を十分に理解するため、とりあえず風車に限定して、風車を例に取り上げ、技術の現状による通信の通常の２つのアーキテクチャを示す。分かるように図１には典型的な３つのマンマシンインタフェース１が概略のみで示される。さらに図１による概略図の下部には２つの制御・データ記録ユニット（SCADAユニット２）が示される。両方のSCADAユニット２はそれぞれローカルサイトの風車ユニットに設置される。これは概略図では認識できない。図の左下に示すSCADAユニット２はSCADAスレーブの形の風車制御装置３として形成される。SCADAスレーブとして形成されたSCADAユニット２の風車制御装置３はローカルネットワーク５を介して上位に置かれたSCADAマスターステーション６に接続される。SCADAマスターステーション６は風車ユニットの外部、特にSCADAユニット２の外部に設けられる。マンマシンインタフェース１は外部ネットワーク７、例えばインターネットを介してSCADAマスターステーション６に接続される。図１の左のこの通信ブランチによるアーキテクチャはＵＳ特許７０１３２０３Ｂ２による原理と一致する。マンマシンインタフェース１とSCADAユニット２内の風車制御装置３との通信は直接には不可能であり、常にマンマシンインタフェース１とSCADAマスターステーション６との間の通信が必要となる。例えばSCADAマスターステーション６が停止すると、マンマシンインタフェース１とSCADAユニット２内の風車制御装置３との通信は不可能となる。
【００２８】
図１の右下に示すSCADAユニット２にはメモリープログラマブル制御ユニット４が設けられる。メモリープログラマブル制御ユニット４はローカルネットワーク５を介してSCADAマスターステーション６に接続される。この経路で、一方では、マンマシンインタフェース１とSCADAユニット２内のメモリープログラマブル制御ユニット４との間の通信が前述したようにSCADAマスターステーション６を仲介して可能になる。しかし、これに追加して、SCADAユニット２にメモリープログラマブル制御ユニット４がある場合は、マンマシンインタフェース１とSCADAユニット２との直接通信が直接のデータ接続ライン８を介しても可能となる。直接のデータ接続ライン８を介する通信は、メモリープログラマブル制御ユニット４に適合する特殊なプロトコルおよび器具がある場合にしか可能でないという欠点がある。特殊な器具は、SCADAユニット２内のメモリープログラマブル制御ユニット４と通信するマンマシンインタフェース１の側にも設ける必要がある。このため通信の柔軟な適応はほとんど不可能となる。
【００２９】
図２には、これとは対照的に、外部器具と発明によるSCADAユニット２との間の通信のアーキテキチャを概略で示す。一例として風力エネルギー施設の場合の通信で説明する。しかし、発明によるSCADAユニットは、例えば太陽光発電施設またはバイオマス発電施設またはその他のDERなどの分散エネルギー供給源の場合でも同様に使用できる。発明の好ましい実施形態による風車のSCADAユニットは中心機能ユニットとして風車内に分散カーネル９（以下、風車カーネルともいう）を備える。データバンク１０、風車制御ユニット１１および内部のマンマシンインタフェース１２が、発明によるSCADAユニット２内の風車カーネル９に接続する。内部のマンマシンインタフェース１２は、例えばキーボードおよび表示画面を備えたコンピュータ端末である。風車カーネル９は風車ユニット内にローカルに組み込むか、またはマイクロプロセッサに実装することができる。または、これに代えて、風車カーネル９はソフトウエアとして風車制御装置１１内の一部または全体に含めることができる。
【００３０】
SCADAユニット２には図２に示すようにネットワークインタフェース１３が接続される。ネットワークインタフェース１３によって、風車ユニットに組み込まれた発明によるSCADAユニット２内の風車カーネル９は外部ネットワーク７を介して外部の器具に接続される。外部ネットワーク７は同様にインターネット、高域ネットワーク（WAN）またはLAN〈構内ネットワーク〉にすることができる。外部ネットワーク７を介して、風車カーネル９には、外部マンマシンインタフェース１の好ましい例として遠隔サイトにあるデータ端末器具１４および警報ユニット１５が接続される。
【００３１】
図３は、発明により風車ユニットに組み込まれたSCADAユニット２内にある風車カーネル９の内部構成を示す。風力エネルギー施設に基づいて好ましい実施形態が記載され、したがって風車カーネルが引き合いに出されるが、発明は太陽光発電施設、バイオマス発電施設および他の分散エネルギー供給源の場合のSCADAユニットにも同様に関係する。その場合、発明によるカーネルは制御されるDERには左右されない。図３に概略示すように、風車カーネル９には公共アクセス可能なデータ領域１６、保護データ領域１７およびservice repository１８が実装される。公共アクセス可能なデータ領域１６にはソフトウエアに基づく様々なユニット１９，２０、詳しくいうと、ソフトウエアに基づくデータ利用ユニット１９およびリアルタイムデータ送信ユニット２０が実装される。データ利用ユニットには、この特別の実施形態によって、生産データ用に出力曲線、時間列およびエラートラッキングを送信するユニットが含まれる。
【００３２】
保護データ領域１７内にはデータバンク１０が実装される。さらに、保護データ領域１７内は、風車カーネル９と風車器具との間の通信に使用されるローカルの通信ユニット２１がある。図３において、外部のマンマシンインタフェース１、データ端末器具１４および／または警報ユニット１５への通信接続ラインをそれぞれ矢印で概略示す。
【００３３】
図４には、カーネル９の公共アクセス可能なデータ領域１６内に実装されたデータユニット１９，２０の１つを呼び出すための通信接続ラインの構築プロセスをフローチャートの形で示す。図４に示すように、第１のステップでは、DERの利害関係者によって、公共の接続ユニット２１を介してカーネル９との接合２２が構築される。接合２２を構築した後、利害関係者のアクセス権利を確認するためにカーネル９を介してアクセス権利ユニット２３が呼び出される。ユニット２３のアクセス権利が権利であることが確認されると、DERの利害関係者とDERに組み込まれたローカルのSCADAユニット２との間の直接のデータ接続ラインがカーネル９を介して存在することになる。そのあとカーネル９内で通信循環２４が開始される。通信循環２４内でユーザはDERの制御ユニット２５およびリアルタイムデータ送信ユニット２０を使用することができる。さらに、ユーザは通信循環２４を終了させるために、ローカルカーネル９で進行する通信循環２４内でユーザ使用終了通知ユニット２６を使用する状態にある。図４に示す運転方式においてリアルタイム送信ユニット２０の標準データ経路はローカルカーネル９内にある。
【００３４】
ユーザ使用終了通知ユニット２６が実行された後、ローカルカーネル９でユーザデータは非活性化され、使用終了通知ステップ２７においてユーザ接合が自動的に終了する。この通信は、例えばインターネットのような外部ネットワークを介してローカルカーネル９を仲介して、DER内の発明によるSCADAユニット２と直接行われる。特に、この通信は、技術の現状の場合にようにSCADAユニットの上位に置かれたSCADAマスターステーションを仲介することなく進行する。
【００３５】
図５はDERの外部ユーザ、例えば風力エネルギー施設の利害関係者と発明によるSCADAユニット２との間のデータ通信プロセスの別の例を示す。ローカルカーネル９を介した外部ユーザとSCADAユニット２との接続構築は、図４で述べた方法に類似して、接合２２を開始し公共の接続ユニット２１を介して進行する。それに基づきアクセス権利ユニット２３でローカルカーネル９に対するアクセス権利が点検される。
【００３６】
これに対し、図４で述べた方法と相違して、図５では通信循環２４が確立された後、分散カーネル９の公共アクセス可能なデータ領域１６に実装されたデータ利用ユニット１９が起動する。使用終了通知プロセスは図４で述べた状況に類似して進行するが、図５には示さない。
【００３７】
最後に、図６に発明によるSCADAユニット２のさらに好ましい適用可能手段を示す。理解できるように、外部のマンマシンインタフェース１はインターネット７を介して発明によるSCADAユニット２に直接接続され、前に詳述した方法で、DERのデータ利用ユニット１９、リアルタイムデータ送信ユニット２０、アクセス権利ユニット２３および／または制御ユニット２５が呼び出される。さらに、分かるように、警報ユニット１５は同様にインターネット７を介して、分散カーネル内に実装されたいわゆるユニット１９，２０，２３、２５と通信する。警報分配ネットワーク２８を介して警報ユニット１５はマンマシンインタフェース１および利害関係者側のデータバンク２９と通信する。
【００３８】
この方法で、発明により、分散エネルギー供給源（DER）、特に風車ユニットに設置し、および／または分散エネルギー供給源（DER）、特に風車ユニットのサイトで分散使用するローカル制御・データ記録ユニット（SCADAユニット）が提供され、このSCADAユニットには、分散エネルギー供給源（DER）を制御する制御ユニット、特に風車制御ユニットと、運転データおよび／または運転パラメータを記憶するデータバンクと、データおよび／または制御命令を外部のネットワークを介して外部のユニットと交換するネットワーク通信インタフェースとが含まれる。ローカルカーネル９を仲介しているため、SCADAユニットに中央SCADAマスターを追加することなく、データ通信が直接可能となる。これによって、一方では、SCADAマスターの調達・運転コストが節約され、他方では、標準化された通信プロトコルおよび標準化された通信ハードウエアの使用可能性を前提とする柔軟な使用可能性が生まれる。
【符号の説明】
【００３９】
１    外部のマンマシンインタフェース      
２    風車ユニットに組み込まれたSCADAユニット  
３    風車制御装置（SCADAスレーブ）
４    メモリープログラマブル制御ユニット
５    ローカルネットワーク
６    SCADAマスターステーション
７    インターネット
８    直接のデータ接続ライン
９    ローカルカーネル
１０  データバンク
１１  風車制御ユニット
１２  内部のマンマシンインタフェース
１３  ネットワークインタフェース
１４  データ端末器
１５  警報ユニット
１６  公共アクセス可能なデータ領域
１７  保護データ領域
１８  service repository
１９  データ利用ユニット
２０  リアルタイムデータ送信ユニット  
２１  公共の接続ユニット
２２  接合
２３  アクセス権利ユニット
２４  通信循環
２５  風車制御ユニット
２６  ユーザ使用終了通知ユニット
２７  使用終了通知ステップ
２８  警報分配ネットワーク
２９  データバンク（利害関係者側）
【図１】
2010518296.tif 000003
【図２】
2010518296.tif 000004
【図３】
2010518296.tif 000005
【図４】
2010518296.tif 000006
【図５】
2010518296.tif 000007
【図６】
2010518296.tif 000008
【国際調査報告】
2010518296.tif 000009
2010518296.tif 000010
2010518296.tif 000011
2010518296.tif 000012
2010518296.tif 000013
2010518296.tif 000014